【事件の表示】
　商願２００２−８１０３９拒絶査定不服審判事件について、次のとおり審決する。
【結　論】
　原査定を取り消す。
　本願商標は、登録すべきものとする。
【理　由】
１　本願商標
　本願商標は、「ＣＨＩＡ」の欧文字を標準文字で書してなり、第２８類に属する願書記載の商品を指定商品とし、パリ条約に基づくアメリカ合衆国を第一国出願（２００２年３月２８日）とする優先権主張を伴う商標登録出願として、平成１４年９月２４日に登録出願されたものであるが、その後、指定商品については、同１６年５月６日及び同１６年６月２９日付けの手続補正書によって、第２８類「おもちゃ，ゲーム用具（運動用具に属するものを除く。），祝祭日用装飾品（おもちゃ），遊園地用機械器具（業務用テレビゲーム機を除く。），人形，布製おもちゃ，囲碁用具，歌がるた，将棋用具，さいころ，すごろく，ダイスカップ，ダイヤモンドゲーム，チェス用具，チェッカー用具，手品用具，ドミノ用具，トランプ，花札，マージャン用具，遊戯用器具，ビリヤード用具，釣り具，昆虫採集用具」と補正されたものである。
                            　
２　引用商標
　原査定において、本願の拒絶の理由に引用した登録第２４０６５６５号の２商標（以下「引用Ａ商標」という。）は、別掲のとおりの構成よりなり、平成１年１０月１６日登録出願、第２４類「おもちゃ，人形，娯楽用具、釣り具、楽器、演奏補助品、蓄音機（電気蓄音機を除く。）、レコード、これらの部品及び附属品」を指定商品として、同４年４月３０日に設定登録され、その後、同１４年５月７日に商標権の存続期間の更新登録がなされ、指定商品については、同１６年５月１２日に第１５類「楽器，演奏補助品，音さ」及び 第２８類 「おもちゃ，人形，囲碁用具，将棋用具，歌がるた，さいころ，すごろく，ダイスカップ，ダイヤモンドゲーム，チェス用具，チェッカー用具，手品用具，ドミノ用具，トランプ，花札，マージャン用具，遊戯用器具，ビリヤード用具，釣り具」とする書換登録がなされたものである。
　同じく、登録第４７８０５４２号商標（以下「引用Ｂ商標」という。）は、「ＳＩＡ」の欧文字を標準文字で書してなり、平成１０年５月１８日登録出願、第１４類「貴金属製食器類，貴金属製ティーセット，貴金属製タンブラー，貴金属製ナプキンリング，貴金属製盆，貴金属製針箱，貴金属製宝石箱，貴金属製ろうそく立て，貴金属製氷おけ，貴金属製シャンパンおけ，貴金属製フルーツカップ，貴金属製花瓶，貴金属製額縁，貴金属製鏡，貴金属及びその合金（歯科用のものを除く。），宝石，貴石，時計」、第２０類「家具，姿見台その他の鏡，額縁，額縁用飾り縁，木製・ろう製・石膏製又はプラスチック製の置物，木製・ろう製・石膏製又はプラスチック製の胸像，宝石箱（貴金属製のものをを除く。）」、第２１類「花用の支持具（生け花用のもの），花瓶（貴金属製のものを除く。），植木鉢覆い（紙製のものを除く。），ろうそく立て（貴金属製のものを除く。），食器として用いられるガラス製容器，卵立て（貴金属製のものを除く。），食卓用塩入れ及びこしょう入れ（貴金属製のものを除く。），盆（貴金属製のものを除く。），食器として用いられる台所用の容器（貴金属製のものを除く。），食器類（貴金属製のものを除く。），台所用器具（貴金属製のものを除く。），氷おけ及びシャンパンおけ（貴金属製のものを除く。），ナプキンリング（貴金属製のものを除く。），家庭用バスケット（貴金属製のものを除く。），くし及び化粧用スポンジ，ブラシ（絵筆及び塗装用ブラシを除く。），ブラシ製造用材料，清掃用品，スチールウール，ガラス基礎製品（建築用のものを除く。）、第２４類「織物製家庭用リネン製品，織物製食卓用リネン製品，浴用リネン製品（衣服を除く。），ベッド用リネン製品，ベッドカバー，織物，ベッド用毛布，テーブル掛け（紙製のものを除く）」、第２６類「造花，造花の花輪，布製の花，レース及びししゅう布，リボン及び組みひも，ボタン，フックアンドアイ，針類」及び第２８類「ゲーム用具，おもちゃ，熊のぬいぐるみ，クリスマスツリー用装飾品（装飾用照明及び菓子を除く。），合成材料製クリスマスツリー，クリスマスツリー用ろうそく立て」を指定商品として、同１６年６月１８日に設定登録されたものである。 
　同じく、登録第２２２４４７５号、同第２２５７９８８号、国際登録第７７３０３２号及び同第７７３６５１号商標は、いずれも「ＳＩＡ」の欧文字を書し又はその構成中に有してなり、登録第２４０６５６５号の１商標は、別掲のとおりの構成よりなり、同第２７０８４７４号商標は、「ｓｅｅｒ」の欧文字をややデザイン化して書しなり、同第４１１３６１３号、同第４５５５２０７号、同第４５５５２０９号、同第４５５５２１１号及び同第４５５５２１３号商標は、「ＣＨＥＥＲ」の欧文字を書し又はその構成中に有してなり、それぞれ商標登録原簿に記載の商品又は役務を指定商品又は指定役務とするものである（以下、これらをまとめて「引用Ｃ商標」という。）。
                         　　　
３　当審の判断
　本願商標は、前記１のとおり「ＣＨＩＡ」の文字を書してなるところ、該文字は、何らの意味を有しない造語と認められるものであるから、これより、一般に親しまれた英語読み又はローマ字読み風に「チア」の称呼を生ずるとみるのが自然である。　
　他方、引用Ａ商標は、別掲のとおり、太線の正方形内に同じく太線で「ｓｉａ」の文字を書してなり、また、引用Ｂ商標は、前記２のとおり「ＳＩＡ」の文字を書してなるところ、両文字は、それぞれ何らの意味を有しない造語と認められるものであるから、これらより、一般に親しまれた英語読み又はローマ字読み風に「シア」の称呼を生ずるとみるのが自然である。　
　そこで、本願商標より生ずる「チア」の称呼と、引用Ａ及びＢ商標より生ずる「シア」の称呼とを比較するに、この両称呼は、称呼における識別上重要な要素を占める語頭において、「チ」と「シ」の音に差異を有するものであるから、僅か２音という短い音構成において、この差異が称呼全体に与える影響は決して小さいものとはいえず、それぞれを一連に称呼する場合には、語調、語感が異なり、互いに相紛れるおそれはないものというべきである。
　また、本願並びに引用Ａ及びＢ商標の構成は前記のとおりであるから、外観においては相紛れるおそれはなく、さらに、両商標は、前記のとおり特定の意味を有しない造語よりなるものであって、これらより格別の観念を生ずるとは認められないから、観念については比較することができない。
　してみると、本願商標と引用Ａ及びＢ商標とは、称呼、外観及び観念のいずれの点においても相紛れるおそれのない非類似の商標といわざるを得ない。
　したがって、本願商標が引用Ａ及びＢ商標との関係において、商標法第４条第１項第１１号に該当するとして、本願を拒絶した原査定は妥当でなく、取消しを免れない。
　次に、本願商標は、その指定商品について前記１のとおり補正された結果、引用Ｃ商標の指定商品又は指定役務と同一又は類似の商品は、すべて削除されたと認められるものである。
　その結果、本願商標の指定商品は、引用Ｃ商標の指定商品又は指定役務と類似しない商品となった。
　したがって、商標の類否について判断するまでもなく、本願商標が引用Ｃ商標との関係において、商標法第４条第１項第１１号に該当するとした原査定の拒絶の理由は解消した。
　その他、政令で定める期間内に本願について拒絶の理由を発見しない。
　よって、結論のとおり審決する。